(57)【要約】【課題】刃先に向かって容易に切り進めることができる金切り鋏を提供する。【解決手段】動刃部１４と動刃用把持部１５とを有する動刃片２、および静刃部２３と静刃用把持部２４とを有する静刃片３を、支軸４で互いに回動可能に取り付けて成る。静刃用把持部２４は、静刃部２３側の端部２４ｂに、動刃用把持部１５に対して反対側に突出した親指掛２５を有している。静刃片３は、静刃部２３の静刃用把持部２４側の端部２３ｃに、静刃部２３の刃先２３ｄと反対方向に突出した突出部２６を有している。突出部２６は、静刃部２３の峰２３ｂとの境界を支点として静刃部２３の刃先２３ｄを上下動可能に、静刃部２３の峰２３ｂに対して鈍角に設けられた切欠部２６ｂを有している。支軸４は、静刃片３の外面からの突出量が２ｍｍ以内の範囲に収まっている。【選択図】図１
0003116357.tif 000002
【実用新案登録請求の範囲】
【請求項１】
動刃部と動刃用把持部とを有する動刃片、および静刃部と静刃用把持部とを有する静刃片を、支軸で互いに回動可能に取り付けて成る金切り鋏であって、
前記静刃用把持部は前記静刃部側の端部に前記動刃用把持部に対して反対側に突出した親指掛を有することを、特徴とする金切り鋏。
【請求項２】
前記動刃片は、前記動刃用把持部が常に前記静刃部の刃線の延長線に対して前記静刃部の峰と反対側に配置されるよう設けられ、
前記静刃片は、前記静刃用把持部が前記静刃部の刃線の延長線に対して前記静刃部の峰と反対側に配置されるよう、前記静刃部の前記静刃用把持部側の端部で曲げられて成り、前記静刃部の前記静刃用把持部側の端部に、前記静刃部の刃先と反対方向に突出した突出部を有し、前記突出部は前記静刃部の峰との境界を支点として前記静刃部の刃先を上下動可能に、前記静刃部の峰に対して鈍角に設けられた切欠部を有していることを、
特徴とする請求項１記載の金切り鋏。
【請求項３】
前記支軸は、前記静刃片の外面からの突出量が２ｍｍ以内の範囲に収まっていることを、特徴とする請求項１または２記載の金切り鋏。
【考案の詳細な説明】
【技術分野】
【０００１】
本考案は、金切り鋏に関する。
【背景技術】
【０００２】
従来、一般的な金切り鋏は、動刃用把持部および静刃用把持部が滑らかな形状を成している（例えば、特許文献１参照）。また、手がすべらないよう、動刃用把持部および静刃用把持部に凹凸を設けたものもある。
【０００３】
【特許文献１】特開２００４−３２９４５９号公報
【考案の開示】
【考案が解決しようとする課題】
【０００４】
しかしながら、従来の金切り鋏では、動刃用把持部および静刃用把持部を握った手がすべりやすく、刃先に向かって切り進めていくのが困難になるという課題があった。特に、手に汗をかいた場合には手が特にすべりやすく、また、厚手のトタンなどを切断する場合には、切断するのにかなりの力を要するため、切り進めていくのがかなり困難であった。
【０００５】
本考案は、このような従来の課題に着目してなされたもので、刃先に向かって容易に切り進めることができる金切り鋏を提供することを目的とする。
【課題を解決するための手段】
【０００６】
上記目的を達成するために、本考案に係る金切り鋏は、動刃部と動刃用把持部とを有する動刃片、および静刃部と静刃用把持部とを有する静刃片を、支軸で互いに回動可能に取り付けて成る金切り鋏であって、前記静刃用把持部は前記静刃部側の端部に前記動刃用把持部に対して反対側に突出した親指掛を有することを、特徴とする。
【０００７】
本考案に係る金切り鋏は、静刃用把持部が、静刃部側の端部に動刃用把持部に対して反対側に突出した親指掛を有しているため、親指掛に親指をかけることにより、手の位置が固定され、動刃用把持部および静刃用把持部をしっかり握ることができる。このため、手に汗をかいたときでも、手がすべりにくい。また、親指で親指掛を押すことにより、刃先に向かって容易に切り進めることができる。
【０００８】
本考案に係る金切り鋏で、前記動刃片は、前記動刃用把持部が常に前記静刃部の刃線の延長線に対して前記静刃部の峰と反対側に配置されるよう設けられ、前記静刃片は、前記静刃用把持部が前記静刃部の刃線の延長線に対して前記静刃部の峰と反対側に配置されるよう、前記静刃部の前記静刃用把持部側の端部で曲げられて成り、前記静刃部の前記静刃用把持部側の端部に、前記静刃部の刃先と反対方向に突出した突出部を有し、前記突出部は前記静刃部の峰との境界を支点として前記静刃部の刃先を上下動可能に、前記静刃部の峰に対して鈍角に設けられた切欠部を有していることが好ましい。この場合、屋根のトタン板などを切断するのに好適に使用される。すなわち、静刃部の峰を下にして静刃部をトタン板と下地板との間に入れ、動刃部を動かして切断する。このとき、動刃用把持部および静刃用把持部が、トタン板より常に上方に配置されるため、握りやすく、操作しやすい。また、静刃片の突出部が、静刃部の峰に対して鈍角に設けられた切欠部を有しているため、突出部と静刃部の峰との境界を支点として静刃部の刃先を上下動させることができ、切断しやすい。
【０００９】
本考案に係る金切り鋏で、前記支軸は、前記静刃片の外面からの突出量が２ｍｍ以内の範囲に収まっていることが好ましい。この場合、支軸が邪魔にならずに、支軸の位置での静刃片の外面側の側面を、被切断物に近づけるように傾けることができ、切断しやすい。
【考案の効果】
【００１０】
本考案によれば、刃先に向かって容易に切り進めることができる金切り鋏を提供することができる。
【考案を実施するための最良の形態】
【００１１】
以下、図面に基づき本考案の実施の形態について説明する。
図１は、本考案の実施の形態の金切り鋏を示している。
図１に示すように、金切り鋏１は、折板切断用の金切り鋏であって、動刃片２と静刃片３と支軸４とを有している。金切り鋏１は、動刃片２および静刃片３を、支軸４で互いに回動可能に取り付けて成っている。
【００１２】
動刃片２は、鉄製で細長い動刃片本体１１と、鉄製で動刃片本体１１の一端１１ａに設けられた動刃１２とから成る。動刃１２は、動刃片本体１１にネジ１３で着脱可能に取り付けられている。動刃片２は、動刃片本体１１の一端１１ａおよび動刃１２から成る動刃部１４と、動刃片本体１１の他端１１ｂから成る動刃用把持部１５とを有している。動刃片２は、動刃用把持部１５が動刃部１４の刃線１４ａの延長線に対して動刃部１４の峰１４ｂ側に配置されるよう、ほぼ円弧状に沿った形状を成している。動刃用把持部１５は、円弧状に沿った外側側面１５ａに、すべり止め用の凹凸が形成されている。動刃片２は、動刃部１４と動刃用把持部１５との間の動刃片本体１１の外面１１ｃに、厚みを貫通して設けられた動刃側貫通孔（図示せず）と、その動刃側貫通孔の周囲に外面より窪んで設けられた動刃側周囲穴１６とを有している。
【００１３】
静刃片３は、鉄製で細長い静刃片本体２１と、鉄製で静刃片本体２１の一端２１ａに設けられた静刃２２とから成る。静刃２２は、静刃片本体２１にネジで着脱可能に取り付けられている。静刃片３は、静刃片本体２１の一端２１ａおよび静刃２２から成る静刃部２３と、静刃片本体２１の他端２１ｂから成る静刃用把持部２４とを有している。静刃片３は、静刃用把持部２４が静刃部２３の刃線２３ａの延長線に対して静刃部２３の峰２３ｂと反対側に配置されるよう、静刃部２３の静刃用把持部２４側の端部２３ｃで曲げられて成っている。静刃用把持部２４は、動刃用把持部１５に対して反対の外側側面２４ａに、すべり止め用の凹凸が形成されている。静刃用把持部２４は、静刃部２３側の端部２４ｂに、動刃用把持部１５に対して反対側に突出した親指掛２５を有している。
【００１４】
静刃片３は、静刃部２３の静刃用把持部２４側の端部２３ｃに、静刃部２３の刃先２３ｄと反対方向に突出した突出部２６を有している。突出部２６は、その先端２６ａに向かって傾斜し、静刃部２３の峰２３ｂに対して鈍角に設けられた切欠部２６ｂを有している。静刃片３は、静刃部２３と静刃用把持部２４との間の静刃片本体２１の外面（図示せず）に、厚みを貫通して設けられた静刃側貫通孔（図示せず）と、その静刃側貫通孔の周囲に外面より窪んで設けられた静刃側周囲穴（図示せず）とを有している。
なお、動刃片２は、動刃用把持部１５が、常に静刃部２３の刃線２３ａの延長線に対して静刃部２３の峰２３ｂと反対側に配置されるよう設けられている。
【００１５】
支軸４は、鉄製のネジ部材から成っている。支軸４は、動刃側貫通孔および静刃側貫通孔に貫通され、動刃片２および静刃片３を互いに回動可能に取り付けている。支軸４は、ネジの両側の頭が、それぞれ動刃片２の動刃側周囲穴１６および静刃片３の静刃側周囲穴に入っている。支軸４は、静刃片３の静刃片本体２１の外面からの突出量が２ｍｍ以内の範囲に収まっている。なお、具体的な一例では、静刃片本体２１の外面からの突出量は１ｍｍ、動刃片本体１１の外面１１ｃからの突出量は４ｍｍである。
【００１６】
次に、作用について説明する。
金切り鋏１は、静刃用把持部２４が、静刃部２３側の端部２４ｂに動刃用把持部１５に対して反対側に突出した親指掛２５を有しているため、親指掛２５に親指をかけることにより、手の位置が固定され、動刃用把持部１５および静刃用把持部２４をしっかり握ることができる。このため、手に汗をかいたときでも、手がすべりにくい。また、親指で親指掛２５を押すことにより、刃先に向かって容易に切り進めることができる。
【００１７】
金切り鋏１は、屋根のトタン板などを切断するのに好適に使用される。すなわち、静刃部２３の峰２３ｂを下にして静刃部２３をトタン板と下地板との間に入れ、動刃部１４を動かして切断する。このとき、動刃用把持部１５および静刃用把持部２４が、トタン板より常に上方に配置されるため、握りやすく、操作しやすい。また、静刃片３の突出部２６が、静刃部２３の峰２３ｂに対して鈍角に設けられた切欠部２６ｂを有しているため、突出部２６と静刃部２３の峰２３ｂとの境界を支点として静刃部２３の刃先２３ｄを上下動させることができ、切断しやすい。
【００１８】
金切り鋏１は、静刃片３の静刃片本体２１の外面からの支軸４の突出量が、２ｍｍ以内の範囲に収まっているため、支軸４が邪魔にならずに、支軸４の位置での静刃片本体２１の外面側の側面を、被切断物に近づけるように傾けることができ、切断しやすい。金切り鋏１は、特に、折板を切断するのに好適に使用することができる。
【図面の簡単な説明】
【００１９】
【図１】本考案の実施の形態の金切り鋏を示す正面図である。
【符号の説明】
【００２０】
１    金切り鋏
２    動刃片
３    静刃片
４    支軸
１１  動刃片本体
１２  動刃
１３  ネジ
１４  動刃部
１５  動刃用把持部
１６  動刃側周囲穴
２１  静刃片本体
２２  静刃
２３  静刃部
２４  静刃用把持部
２５  親指掛
２６  突出部
【図１】
0003116357.tif 000003